(57)【要約】【課題】取出口扉の前面から伝わり落ちる雨水（水滴）が商品に付着して商品価値を低下させることを回避できるともに、前面扉の補強部材としての役目を果すことができ、前面扉の部品点数を削減できる自動販売機の商品取出口構造を提供する。【解決手段】商品収納部から払い出された商品を受ける商品受け材１３を、板材を複数箇所で折り曲げた構造として剛性を持たせ、その前面接触部１３ｂを前面扉本体１１の前面部に、下端縁部１３ｆを前面扉本体１１の底面部材（底面部）１７に溶接して、前面扉１に堅固に固着し一体化する。また商品受け材１３に、取出口扉４の下端部の下方となる箇所に、手前側ほど下方に傾斜するとともに、その一部に水抜き孔２３が形成された樋部１３ｃ（水抜き用案内面）を形成し、この樋部１３ｃにより取出口扉４の前面から伝わり落ちる雨水Ｒを受け止め、雨水Ｒが商品取出口３に浸入することを防止する。【選択図】図１
2008003642.tif 000002
【特許請求の範囲】
【請求項１】
庫内の商品収納部から払い出された商品を取り出す商品取出口が前面扉に設けられ、前記商品取出口の開口部を開閉する内開き式の取出口扉が設けられた自動販売機の商品取出口装置であって、
前記商品収納部から払い出された商品を受ける商品受け材が備えられ、
前記商品受け材には、前記取出口扉の閉状態において下端部の下方となる箇所に、前記取出口扉より伝わった雨水を受け止めて前記前面扉の外へ導く水抜き用案内面が形成され、
前記商品受け材が、前記前面扉の前面部と底面部に固着されて前記前面扉と一体化されていること
を特徴とする自動販売機の商品取出口装置。
【請求項２】
前記水抜き用案内面には、その一部に水抜き用の孔部が設けられていること
を特徴とする請求項１に記載の自動販売機の商品取出口装置。
【発明の詳細な説明】
【技術分野】
【０００１】
本発明は自動販売機の商品取出口装置に関するものである。
【背景技術】
【０００２】
自動販売機には、その前面扉の下部に商品が払い出される商品取出口が設けられており、この商品取出口には、商品取出口を通して自動販売機の内部にごみなどの異物が外から入り込まないように、取出口扉が設けられている。そして、自動販売機は、商品取出口内に商品が払い出された後に、自動販売機の商品を購入した利用者が、この商品取出口の取出口扉を開けるとともに商品取出口内に手を差し込んで商品を取り出すように構成されている。
【０００３】
このような、従来のタバコなどの箱型商品を販売する自動販売機の一例を図５および図６を参照しながら説明する。
上記前面扉１が開閉自在に自動販売機本体２に取り付けられており、前面扉１の下部には上述した商品取出口３が設けられ、商品取出口３の前面位置に上述した取出口扉４が設けられている。
【０００４】
また前面扉１の前面には、販売するタバコなどの商品６の複数の商品サンプル３１、各商品サンプル３１に対応して配置された商品選択釦３２、商品６を購入するときに硬貨を投入する硬貨投入口３３、同じく紙幣を投入する紙幣投入口３４、利用者が投入したコインなどの金額を表示する投入金額表示部３５、釣銭や投入金を返却させるための返却レバー３６およびコイン返却口３７が設けられ、また前面扉１の前面に上記商品取出口３用の開口部３８が設けられている。
【０００５】
また自動販売機本体２内には、上下に複数段（例えば上段、中段、下段の３段）の商品収納部４１が設けられ、各商品収納部４１は、上下に延びる仕切板（図示せず）により左右方向に分割されて横方向に複数列並ぶように配設されている。また各商品収納部４１の下端部には、商品６を所定方向に押し出すプッシャ４４を備えた商品搬送機構４５が配設され、商品６はこの商品搬送機構４５上に、上下に直積みして収納されている。
【０００６】
また、この自動販売機においては、自動販売機本体２内の商品収納部４１が、手前側と奥側との２つに分けられて配設されており、奥側の商品収納部４１Ａは自動販売機本体２内の奥部に取り付けられ、また手前側の商品収納部４１Ｂは前面扉１の裏面に取り付けられている。そして、これらの奥側の商品収納部４１Ａと手前側の商品収納部４１Ｂとの間に、商品収納部４１（４１Ａ，４１Ｂ）から払い出された商品を落下させる商品用落下通路４２が設けられ、この商品用落下通路４２に払い出された商品６を受けて、前面扉１の下部に設けられた前記商品取出口３に導く払出用シュート４６が設けられている。
【０００７】
また図６において、４７は払い出されるべきでない商品６が、商品用落下通路４２側へ落下することを防止する落下防止紐を示している。
ところで、商品取出口３の前面に位置し前面扉１の開口部３８を開閉する、すなわち商品取出口３の開口部を開閉する取出口扉４として、取出口扉４を開けた手でそのまま商品６を取り出すことができる、いわゆる内開き式の取出口扉４がある。この種の内開き式の取出口扉４は、上端に設けられた回転軸４ａを中心にして奥側（商品取出口３）に開閉自在とされており、閉状態には、商品取出口３の開口部の下辺に臨む箇所に背面側より当接した姿勢で配設されている。
【０００８】
このように構成された自動販売機では、屋外に設置された場合、雨が降ると、前面扉１、さらに取出口扉４の前面から伝わり落ちる雨水（水滴）が商品取出口３内に浸入し、商品取出口３に払い出された商品６に付着して商品価値を低下させる恐れがある。そこで、このような商品取出口３内への雨水の浸入を防止する構造が、特許文献１に提案されている。
【０００９】
前記特許文献１に開示された自動販売機の商品取出口装置には、図７に示すように、商品取出口３の下部を形成する商品受け材５１が設けられている。この商品受け材５１においては、上部先端を逆Ｕ字状に折曲して取付縁部５１ａを形成し、この上部先端の取付縁部５１ａを、取出口扉４の下縁前面に当接する位置に対応させて前面扉１の前面に取り付けた取付金具５３に係合させている。また商品受け材５１の後部先端を下方へ折り曲げて後部下端部５１ｂを形成し、この後部下端部５１ｂを前面扉１の裏面にねじ５２により固定している。このように、商品受け材５１は、その取付縁部５１ａを取付金具５３に係合するように嵌め込んで、後部下端部５１ｂを前面扉１の裏面にねじ５２で固定することにより、取り付けられている。またシュート４６に案内された商品６を受ける商品受面部５１ｃを形成している。またこの商品受け材５１の商品受面部５１ｃから前方上方向へ湾曲させ、閉状態の取出口扉４の下部後方へ立ち上がる前端縁部５１ｄを形成し、この前端縁部５１ｄと前記取付縁部５１ａとの間に隙間Ａを設けて、取出口扉４の前面から伝わり落ちる雨水（水滴）Ｒを受け止める樋部５１ｅを形成している。また前端縁部５１ｄは、その上部を取出口扉４の下方へ折曲させて、取付縁部５１ａとの隙間Ａへ手指等が挿入係止されることがない寸法としている。また樋部５１ｅは商品取出口３の開口部周壁における下縁全域に渡って形成されており、樋部５１ｅで受け止めた雨水Ｒを樋部５１ｅの両側端に形成した水抜き５１ｆから下方へ落下させ前面扉１の底面に開口した排出口（図示せず）を介して外部に排水するようになっている。
【００１０】
このように、取出口扉４から伝わり落ちる雨水Ｒは矢印で示すように、樋部５１ｅから排水されることから、商品取出口３内への雨水Ｒの浸入が防止され、商品取出口３内の商品６に雨水Ｒが付着して商品価値を低下させることを回避している。
【００１１】
またこのような樋部５１ｅを有する商品受け材５１を設けた商品取出口装置の他に、商品６に雨水Ｒが付着することを防止することを可能とした商品取出口装置の例を図８（ａ）（ｂ）に示す。
【００１２】
図８（ａ）に示す構成では、商品取出口３の下部を形成する商品受け材６１が設けられている。この商品受け材６１においては、上部先端を逆Ｕ字状に折曲して上部先端部６１ａを形成し、この上部先端部６１ａの後方側（商品取出口３の内部側）を、閉状態の取出口扉４の下縁前面に対応位置させて前面扉１の前面に当接させている。また商品受け材６１の後部先端を下方へ折り曲げて後部下端部６１ｂを形成し、この後部下端部６１ｂを前面扉１の裏面にねじ６２により固定している。このように、商品受け材６１は、その上部先端部６１ａを前面扉１の前面に当接する状態に組み合わせて、後部下端部６１ｂをねじ６２で止めることで前面扉１に固定されている。またこの商品受け材６１の後部下端部６１ｂから前方斜め上方向へ立ち上げ、続いて商品取出口３の開口部の下辺へ向けて上方へ立ち上げて、シュート４６に案内された商品６を受ける商品受面部６１ｃを形成している。また商品受面部６１ｃには、取出口扉４の前面から伝わり落ちる雨水（水滴）Ｒを抜く水抜き孔６１ｄを形成している。この水抜き孔６１ｄにより、取出口扉４から伝わり落ちる雨水Ｒは、矢印で示すように排水されることから、商品取出口３内の商品６に雨水Ｒが付着して商品価値を低下させることを回避している。
【００１３】
また図８（ｂ）に示す構成では、商品取出口３の下部を形成する商品受け材７１が設けられている。この商品受け材７１においては、上部先端を逆Ｕ字状に折曲して上部先端部７１ａを形成し、この上部先端部７１ａを、前面扉１の開口部下辺に臨む周壁部との間に隙間Ｂを設けるように前面扉１に固定している。また商品受け材７１の後部先端を下方へ折り曲げて後部下端部７１ｂを形成し、この後部下端部７１ｂを前面扉１の裏面にねじ７２により固定している。このように、商品受け材７１は、単にねじ７２，７４により前面扉１に固定されている。またこの商品受け材７１の後部下端部７１ｂから前方上方向へ湾曲して立ち上げて、シュート４６に案内された商品６を受ける商品受面部７１ｃを形成している。前記隙間Ｂにより、取出口扉４から伝わり落ちる雨水Ｒは、矢印で示すように排水されることから、商品取出口３内の商品６に雨水Ｒが付着して商品価値を低下させることを回避している。
【００１４】
また前面扉１には、上記のように、商品取出口３、取出口扉４が設けられ、さらに商品サンプル３１、商品選択釦３２、硬貨投入口３３、紙幣投入口３４、投入金額表示部３５、返却レバー３６、コイン返却口３７など、多数の機器が取り付けられることにより、前面扉１が単なる板で構成した枠体であると捩れが発生しやすい。そのため前面扉１に補強部材を組み込み、たとえば図８（ａ）（ｂ）に示すように前面扉１の内部下端部に補強部材６３，７３を固定して、前面扉１の剛性を確保している。
【特許文献１】実開昭６１−２０４２８８号公報
【発明の開示】
【発明が解決しようとする課題】
【００１５】
上記特許文献１の商品受け材５１、図８（ａ）（ｂ）に示す商品受け材６１，７１は、取出口扉４の前面から伝わり落ちる雨水Ｒが商品取出口３内の商品６に付着して商品価値を低下させることを回避できるが、商品取出口３の前面に係合させた状態で単に、ねじ５２，６２，７２により固定させた構成となっていることから、前面扉１の剛性を向上させることはできず、別途、前面扉１に上記剛性を確保するための補強部材（たとえば、上記補強部材６３，７３）を必要とし、そのため前面扉１を構成する部品点数が多くなり、組立作業の効率、コストの面から問題となっていた。
【００１６】
そこで、本発明は、取出口扉の前面から伝わり落ちる雨水が商品に付着して商品価値を低下させることを回避できるともに、前面扉の補強部材としての役目を果すことができ、前面扉の部品点数を削減できる自動販売機の商品取出口装置を提供することを目的としたものである。
【課題を解決するための手段】
【００１７】
前述した目的を達成するために、本発明のうち請求項１に記載の発明は、庫内の商品収納部から払い出された商品を取り出す商品取出口が前面扉に設けられ、前記商品取出口の開口部を開閉する内開き式の取出口扉が設けられた自動販売機の商品取出口装置であって、前記商品収納部から払い出された商品を受ける商品受け材が備えられ、前記商品受け材には、前記取出口扉の閉状態において下端部の下方となる箇所に、前記取出口扉より伝わった雨水を受け止めて前記前面扉の外へ導く水抜き用案内面が形成され、前記商品受け材が、前記前面扉の前面部と底面部に固着されて前記前面扉と一体化されていることを特徴とするものである。
【００１８】
上記構成によれば、商品取出口の商品受け材が前面扉の前面部と底面部に固着され一体化されていることにより、商品受け材が前面扉の補強部材の役目を果し、前面扉の剛性を高めることができながら、前面扉の補強部材の数を削減することが可能となり前面扉の部品点数が削減される。また商品受け材に形成された水抜き用案内面が、取出口扉の前面から伝わり落ちる雨水を受け止め、雨水が商品取出口内に浸入することを防止する。よって、取出口扉の前面から伝わり落ちる雨水が商品に付着して商品価値を低下させることが回避される。
【００１９】
また請求項２に記載の発明は、請求項１に記載の発明であって、前記水抜き用案内面には、その一部に水抜き用の孔部が設けられていることを特徴とするものである。
上記構成によれば、水抜き用の孔部により、水抜き用案内面で受け止めた雨水を前面扉の外へ排出し、雨水が商品取出口内に浸入することを防止する。
【発明の効果】
【００２０】
本発明の自動販売機の商品取出口装置は、商品取出口の商品受け材が前面扉の補強部材の役目を果し、前面扉の剛性を高めることができながら、前面扉に必要とする補強部材の数を減らすことができ、前面扉の部品点数を減らすことができ、コストを削減できる、という効果を有している。
【００２１】
また本発明の自動販売機の商品取出口装置は、商品受け材の水抜き用案内面により、取出口扉の前面から伝わり落ちる雨水が商品取出口内に浸入することを防止でき、商品取出口内の商品に雨水が付着して商品価値が低下することを回避できる、という効果を有している。
【発明を実施するための最良の形態】
【００２２】
以下、本発明の実施の形態を、図面を参照しながら説明する。
図１は、本発明の実施の形態における自動販売機の商品取出口装置を示す前面扉の要部側面図である。なお、従来の自動販売機と同機能のものには同符号を付してその説明を省略する。
【００２３】
図１に示すように、商品取出口３の背面側下方に、商品６を案内するシュート４６が位置するように、商品取出口３は、前面扉１の本体構造体（以下、前面扉本体と称す）１１の下部に嵌め込まれている。この商品取出口３は、図１〜図４に示すように、シュート４６側（裏面側）より見て左に位置する左側面部材１２、商品受け材（底前部材）１３、シュート４６側（裏面側）より見て右に位置する右側面部材１４、シュート４６側（裏面側）より見て中央下部に位置する仕切り部材１５などを備えており、前面上部に取出口扉４が取り付けられている。また前面扉本体１１の下端（前面扉１における商品取出口３の下方部分）には、商品取出口（装置）３を下方から支持する底面部材（前面扉の底面部の一例）１７が固定されている。また図１において、１８は取出口扉４が閉状態のときに当接し、取出口扉４を当接した姿勢（垂直な姿勢）で支持する緩衝材からなる扉当てであり、前面扉本体１１に取り付けられている。
【００２４】
前記左側面部材１２と右側面部材１４は、板材を折り曲げて構成され、上部背面側が斜めに切り欠かれた左右対称の部材であり、図２に示すように、前面側の端部を外方へ直角に折り曲げて形成された左右前端部１２ａ，１４ａと、商品受け材１３が固定された側面部１２ｂ，１４ｂと、背面側の端部を外方へ直角に折り曲げて形成された左右後端部１２ｃ，１４ｃから形成されている。また側面部１２ｂ，１４ｂには、上部前側に、取出口扉４の回動軸心である上端部を支持する支持孔２０が設けられ、下部の前面部分と下部の背面部分に、商品受け材１３と位置合わせするための凹部（ダボ穴）２１が設けられている。
【００２５】
また商品受け材１３は、図３に示すように、１枚の板材を複数箇所で折り曲げて形成されており、上端縁部１３ａと、前面接触部１３ｂと、樋部１３ｃと、商品取出口前部１３ｄと、商品取出口受け部１３ｅと、下端縁部１３ｆと、上部固定部１３ｇと、下部固定部１３ｈから形成されている。
【００２６】
前記上端縁部１３ａは、上端部を三角形状に折り曲げて形成され、図１に示すように、端部と角部とが前面扉本体１１の前面部に後方から当てられている。また前面接触部１３ｂは、この上端縁部１３ａの下方に連続して形成され、図１に示すように、前面扉本体１１の前面部に後方から接し、複数箇所で前面扉本体１１の前面部裏面に溶接されている。
【００２７】
また樋部１３ｃは、閉状態の取出口扉４の下端部の下方に位置し取出口扉４の前面から伝わり落ちる雨水Ｒを受けるためものであり、前面接触部１３ｂの下端から上斜め後方へ折り曲げられて形成され、底部には、複数箇所（実施の形態では３箇所）に水抜き孔２３が設けられている。この樋部１３ｃが、手前側ほど下方に傾斜するとともに、その一部に孔部（水抜き孔２３）が形成された水抜き用案内面を形成している。
【００２８】
また商品取出口前部１３ｄは、樋部１３ｃの上端から垂直に折り曲げられて形成されており、この商品取出口前部１３ｄには、仕切り部材１５を固定するための左右一対のねじ孔２７が設けられている。
【００２９】
また商品取出口受け部１３ｅは、この商品取出口前部１３ｄの下端から下斜め後方へ折り曲げられて形成されており、その両側端部は左側面部材１２および右側面部材１４の背面側下端に達している。この商品取出口受け部１３ｅには４箇所に、仕切り部材１５を固定するためのスリット形状の係止孔２４が設けられている。また下端縁部１３ｆは、商品取出口受け部１３ｅの下端から垂直に下方に折り曲げられて形成され、上記前面扉本体１１の底面部材１７に溶接（固着の一例；溶接箇所を符号Ｓで示す）されている。また上部固定部１３ｇは、商品取出口前部１３ｄの左右両端から下方へ垂直に折り曲げられて形成され、上記凹部（ダボ穴）２１に嵌る凸部２５が設けられている。また下部固定部１３ｈは、商品取出口受け部１３ｅの左右両端から下方へ垂直に折り曲げられて形成され、上記凹部（ダボ穴）２１に嵌る凸部２５が設けられている。
【００３０】
また上記仕切り部材１５は、１枚の板材を、左側面部材１２、商品受け材１３および右側面部材１４により形成される商品受け空間（シュート４６により案内されてきた商品６を受ける空間）の一部空間の形状に合わせて切断し、複数箇所で折り曲げて形成されており、左側面部１５ａと、上蓋部１５ｂと、右側面部１５ｃと、左前縁部１５ｄと、前折曲部１５ｅと、右前縁部１５ｆと、後折曲部１５ｇから形成されている。
【００３１】
前記左側面部１５ａおよび右側面部１５ｃは、商品受け材１３の商品取出口前部１３ｄおよび商品取出口受け部１３ｅとにより形成される平面形状に合わせて形成されており、この左側面部１５ａから前側（シュート４６側）内方へ折り曲げて前記左前縁部１５ｄが設けられ、また右側面部１５ｃから前側（シュート４６側）内方へ折り曲げて前記右前縁部１５ｆが設けられている。また各左側面部１５ａおよび右側面部１５ｃの下端にはそれぞれ、商品取出口受け部１３ｅの係止孔２４に差し込まれ、仕切り部材１５を商品受け材１３に固定するための鉤爪２６が設けられている。
【００３２】
また前記上蓋部ｂは、左側面部１５ａおよび右側面部１５ｃの上部を連結する平板部を構成しており、左側面部１５ａおよび右側面部１５ｃにより形成される空間の上方を覆う。この上蓋部ｂの前側（シュート４６側）を垂直に下方へ折り曲げて前記前折曲部１５ｅが設けられ、上蓋部ｂの後側（商品受け材１３の商品取出口前部１３ｄ側）を垂直に下方へ折り曲げて前記後折曲部１５ｇが設けられている。
【００３３】
この後折曲部１５ｇに、商品受け材１３の商品取出口前部１３ｄのねじ孔２７に合わせて、左右一対の取付孔２８が設けられている。
この前記商品受け空間の中央位置に設けた仕切り部材１５により、前記商品受け空間は２つの小空間に分離され、仕切り部材１５の上蓋部ｂ、左側面部１５ａおよび右側面部１５ｃにより前記商品受け空間の中央部の空間が閉鎖されている。この構成により、商品６を取り出すために取出口扉４を奥側に押して商品取出口３内へ手首を入れることはできても、商品取出口３内へ手首から上の腕の部分まで入ることを阻止し、シュート４６の奥まで腕が差し込まれ商品６が盗難される恐れを回避している。なお、シュート４６は、商品取出口３の上流部で２つに分かれ、分離された前記商品受け空間へ商品６を導くようにされている。
【００３４】
これら左側面部材１２、商品受け材１３、右側面部材１４、および仕切り部材１５は、次の手順で、前面扉本体１１の裏面側から組み立てられる。
左側面部材１２と右側面部材１４との間に、これら左右の側面部材１２，１４の凹部２１と商品受け材１３の凸部２５とを合わせて位置ずれが発生しないように商品受け材１３を合わせ、これら左側面部材１２と商品受け材１３と右側面部材１４を溶接して固定する。続いて商品受け材１３の上端縁部１３ａを、開口部３８の下方所定位置に合わせ、商品受け材１３の前面接触部１３ｂを、前面扉本体１１の前面部に背面側から接するように前面扉本体１１に配置し、前面接触部１３ｂの複数箇所を前面扉本体１１の前面部に溶接する。続いて商品受け材１３の下端縁部１３ｆを、前面扉本体１１の底面部材（底面部）１７と左右全面に渡って溶接（溶接箇所Ｓ）し、確実に固着する。
【００３５】
続いて扉当て１８を前面扉本体１１に固定し、左右の側面部材１２，１４の上部の支持孔２０を利用して取出口扉４を取り付ける。
その後に、仕切り部材１５の鉤爪２６と商品取出口受け部１３ｅの係止孔２４の位置を合わせ、鉤爪２６を係止孔２４に差し込み、仕切り部材１５の取付孔２８を、商品受け材１３の商品取出口前部１３ｄのねじ孔２７に合わせて、ねじ２９を取付孔２８を介してねじ孔２７に螺合することにより、商品取出口３に仕切り部材１５を固定する。
【００３６】
上記前面扉本体１１および商品取出口３の構成により、前面扉１が閉じられると、シュート４６が商品取出口３の背面下部に位置し、商品搬送機構４５によって払い出された商品６は、シュート４６により案内されて商品取出口３内に払い出される。このとき、商品６は、仕切り部材１５により分離された小空間の一方へ払い出される。商品取出口３内に払い出された商品６は、開口部３８より、取出口扉４を奥側に押して手を入れることで取り出される。
【００３７】
また自動販売機が屋外に設置され、雨が降ったとき、図１の拡大図に矢印で示すように、取出口扉４の前面から伝わり落ちる雨水（水滴）Ｒは、樋部１３ｃで受け止められ、続いて水抜き孔２３を通って、前面扉本体１１の内部前面側に沿って下方へ流れ、前面扉本体１１の下端に設けた排水口１１ａより排水される。
【００３８】
以上のように本実施の形態によれば、商品収納部４３から払い出された商品６を受ける商品受け材１３を、板材を複数箇所で折り曲げて形成して剛性を増し、さらに商品受け材１３の前面接触部１３ｂを前面扉本体１１の前面部に溶接し、下端縁部１３ｆを、その左右全面に渡って前面扉本体１１の底面部材（底面部）１７と溶接し、商品取出口３の商品受け材１３を前面扉本体１１に堅固に固着することにより、商品受け材１３は前面扉１の補強部材の役目を果すことができ、前面扉１の剛性を高めることができながら前面扉１に必要とする補強部材の数を減らすことができ、したがって前面扉１の部品点数を減らすことができ、作業効率を改善でき、コストを削減することが可能となる。
【００３９】
また商品受け材１３に、取出口扉４の下端部の下方となる箇所に、手前側ほど下方に傾斜するとともに、その３箇所に水抜き孔２３が形成された樋部１３ｃ（水抜き用案内面）を形成したことにより、取出口扉４の前面から伝わり落ちる雨水Ｒが商品取出口３内に浸入することを防止でき、商品取出口３内の商品６に雨水Ｒが付着して商品価値が低下することを回避できる。
【００４０】
このように、商品受け材１３を、単に商品６を受ける部材としてだけではなく、前面扉１の剛性を向上させる補強部材、ならびに取出口扉４の前面から伝わり落ちる雨水Ｒを受ける樋部材として兼用することができる。
【００４１】
なお、実施の形態において、商品受け材１３の樋部１３ｃに水抜き孔２３を形成しているが、必ずしも水抜き孔２３は必要ではなく、樋部１３ｃの左右両端から前面扉本体１１の下方へ雨水Ｒが流れ出るように構成することも可能である。
【図面の簡単な説明】
【００４２】
【図１】本発明の実施の形態における自動販売機の商品取出口装置を示す前面扉の要部側面図である。
【図２】同自動販売機の商品取出口装置を示す左右の側面部材の側面図および背面図である。
【図３】同自動販売機の商品取出口装置を示す商品受け材の正面図、平面図および側面図である。
【図４】同自動販売機の商品取出口装置を示す仕切り材の平面図、正面図および側面図である。
【図５】従来の自動販売機の正面図である。
【図６】同従来の自動販売機の全体側面断面図である。
【図７】同従来の自動販売機の商品取出口装置の要部を示す側面断面図である。
【図８】同従来の自動販売機の商品取出口装置の要部を示す側面断面図である。
【符号の説明】
【００４３】
１      前面扉
２      自動販売機本体
３      商品取出口
４      取出扉
６      商品
１１    前面扉本体
１２    左側面部材
１３    商品受け材
１３ｃ  商品受け材の樋部
１３ｆ  商品受け材の下端縁部
１４    右側面部材
１５    仕切り部材
１７    底面部材
２０    支持孔
２１    凹部
２３    水抜き孔
２４    係止孔
２５    凸部
２６    鉤爪
２７    ねじ孔
２８    取付孔
４１    商品収納部
４５    商品搬送機構
４６    シュート
【図１】
2008003642.tif 000003
【図２】
2008003642.tif 000004
【図３】
2008003642.tif 000005
【図４】
2008003642.tif 000006
【図５】
2008003642.tif 000007
【図６】
2008003642.tif 000008
【図７】
2008003642.tif 000009
【図８】
2008003642.tif 000010